(57)【要約】【課題】従来では、例えば、携帯電話機に備えられた電卓モードを使用する場合、電卓モードを含む複数のモードを表示するメニュー画面を介して電卓モードを起動させていた為、使用者にとって操作が手間であるという問題があった。【解決手段】本発明では、例えば、携帯電話機１の待受モード時において、使用者が、キー操作部３の数字キーを操作し、数値を入力すると、表示部７には、入力された数値及び電卓モードに移行するショートカットキーが表示される。そして、使用者が、キー操作部３を操作し、ショートカットキーに対応するキーを押下することで、電卓モードが起動する。そして、本発明では、待受モードにおいて入力された数値を少なくとも演算入力数値の一部として認識することができ、使用者の操作の手間を省き、視覚的に分かり易い操作を実現する。【選択図】　　図１
2004146920.tif 000002
【特許請求の範囲】
【請求項１】
少なくとも数値を入力する入力手段と、
該入力手段により入力された数値を記憶する記憶手段と、
前記入力手段により入力された前記数値に基づき演算を行う演算手段と、
少なくとも前記数値及び前記演算手段による演算結果を表示する表示手段を備えた多機能電子機器において、
前記表示手段に前記数値の入力に応じて前記演算手段への移行を表すショートカットキーを表示させる手段と、前記ショートカットキーに対応する前記入力手段の入力により前記演算手段への移行を行う移行制御手段とを有することを特徴とする多機能電子機器。
【請求項２】
前記演算手段では前記数値を少なくとも演算入力数値の一部として認識することを特徴とする請求項１に記載の多機能電子機器。
【請求項３】
前記移行制御手段は前記表示手段に演算画面を表示させる手段を有し、前記演算画面には少なくとも演算記号、数字番号または前記数値が表示されることを特徴とする請求項１または請求項２に記載の多機能電子機器。
【請求項４】
前記演算画面に表示される前記演算記号及び数字番号の配置箇所は前記入力手段を構成する入力キーの配置箇所と一致していることを特徴とする請求項３に記載の多機能電子機器。
【請求項５】
前記多機能電子機器は携帯電話機であることを特徴とする請求項１から請求項４のいずれかに記載の多機能電子機器。
【発明の詳細な説明】
【０００１】
【発明の属する技術分野】
本発明は、複合機能として演算機能を備えた多機能電子機器に関する。
【０００２】
【従来の技術】
最近の多機能電子機器、特に、携帯電話機の普及は著しく、また、携帯電話機の小型化、低価格化、多機能化も進んでいる。また、四則演算などの簡単な計算ができる卓上計算機、いわゆる電卓は、携帯電話機の普及以前から、小型化、低価格化が進んでいる。そして、従来の携帯電話機としては、携帯電話機に簡単な計算ができる電卓モードを付加したものがある。具体的には、携帯電話機を電卓モードに切り替え、加減乗除の演算や計算値の算出をする際に用いる「＋」、「−」、「×」、「÷」等の演算キーを新たに設けることなく既存のキーに対応させる。そして、携帯電話機の小型化、低価格化を妨げることなく、携帯電話機に簡単な計算ができる電卓モードを付加している（例えば、特許文献１参照。）。
【０００３】
また、従来の電卓モードを備えた携帯電話機では、電卓キー配列に慣れた使用者がブラインドタッチで計算できる等の使い易さを考慮して、電話機として使用する場合と計算機として使用する場合の数字ボタン割付けを変更したものもある（例えば、特許文献２参照。）。
【０００４】
以下に、図６及び図７を参照として、従来の電卓モードを備えた携帯電話機について説明する。図６は従来の一実施の形態である携帯電話機の電気的構成を説明する概略機能ブロック図であり、図７は同携帯電話機における電卓モードへ移行時の動作制御を説明するフローチャートである。
【０００５】
図６に示す如く、従来の形態での携帯電話機３１は、主に、制御部３２、キー操作部３３、メモリ３４、演算回路部３５、表示ドライバ部３６、表示部３７、アンテナ３８、無線部３９及び通信制御部４０を備えている。
【０００６】
図７に示す如く、使用者がキー操作部３３に設けられた電源キーを押下し、携帯電話機３１をオン状態とすることを指示すると、制御部３２は電源がオンにされたことを認識し、表示ドライバ部３６、表示部３７を制御し、表示部３７に待受画面を表示させる（ステップＳ２１）。そして、使用者は、表示部３７に待受画面と同時に表示されるメニューキーに対応するキー操作部３３のキーを押下すると（ステップＳ２２）、制御部３２は表示部３７を制御し、表示部３７にメニュー画面を表示させる（ステップＳ２３）。
【０００７】
次に、使用者はこのメニュー画面に従い、電卓モードを起動させることを指示すると（ステップＳ２４のＹＥＳ）、制御部３１は表示部３７、演算回路部３５を制御し、表示部３７に電卓モードの演算画面を表示させ、使用者は電卓モードを使用することができる（ステップＳ２５）。一方、使用者がメニュー画面に従い電卓モードを選択せず（ステップＳ２４のＮＯ）、その他のメニューを選択すると（ステップＳ２６のＹＥＳ）、制御部３１は表示部３７を制御し、表示部３７にその他のモードの画面を表示させ、使用者はその他のモードを使用することができる（ステップＳ２７）。また、使用者がメニュー画面に従い、その他のメニューをも選択せず（ステップＳ２６のＮＯ）、電源キーを押下すると（ステップＳ２８のＹＥＳ）、制御部３２は表示部３７を制御し、表示部３７に待受画面を表示させる（ステップＳ２９）。尚、その他のメニューに関しては、本願と直接関係ない為、ここではその説明を割愛する。
【０００８】
【特許文献１】
特開平１１−２７５６５７号公報（第２−４頁、第１図−第３図）
【特許文献２】
特開平５−１２８０６９号公報（第１−３頁、第１図−第３図）
【０００９】
【発明が解決しようとする課題】
上述したように、例えば、従来の電卓モードを備えた携帯電話機３１では、使用者が表示部３７に表示されたメニュー画面に従い、電卓モードを選択した後、制御部３２が携帯電話機３１の演算回路部３５を制御し、電卓モードへ移行していた。そして、使用者は電卓モードへと移行した携帯電話機３１を使用し、会食後の会計等の簡単な計算を行っていた。
【００１０】
しかしながら、従来の電卓モードを備えた携帯電話機３１では、表示部７に待受画面が表示された待受モードの状態から、表示部３７に表示されたメニュー画面を介して電卓モードに移行する必要があった。そのため、従来の携帯電話機３１では、使用者の希望するときに、直ぐに電卓モードを使用することができず、使用者にとって、その操作が手間であるという問題があった。また、使用者が、電卓モードへの移行操作を忘れた場合には、電卓モードを使用することができないという問題があった。
【００１１】
本発明の多機能電子機器では、例えば、電卓モードを備えた携帯電話機では、通常の待受モードにおいて、数字キーを押下し数値を入力すると、表示部には入力数値と同時に電卓モードへと移行するショートカットキーを表示する。そして、本発明の多機能電子機器では、ショートカットキーに対応するキーを押下することで、メニュー画面から電卓モードを起動する操作の手間を掛けることなく電卓モードを利用でき、上述した課題を解決する。
【００１２】
【課題を解決するための手段】
上述した各事情に鑑みて成されたものであり、本発明の多機能電子機器では、少なくとも数値を入力する入力手段と、該入力手段により入力された数値を記憶する記憶手段と、前記入力手段により入力された前記数値に基づき演算を行う演算手段と、少なくとも前記数値及び前記演算手段による演算結果を表示する表示手段を備えた多機能電子機器において、前記表示手段に前記数値の入力に応じて前記演算手段への移行を表すショートカットキーを表示させる手段と、前記ショートカットキーに対応する前記入力手段の入力により前記演算手段への移行を行う移行制御手段とを有することを特徴とする。従って、本発明の多機能電子機器では、例えば、携帯電話機において、通常の待受モードにおいて、使用者が数字キーを押下すると、表示部にはその数値と電卓モードへ移行するショートカットキーが表示される。そのことで、本発明の多機能電子機器では、通常の待受モードの状態で数値を入力すると、上記ショートカットキーを介して電卓モードへの移行が可能となり、容易に電卓モードを使用することができる。
【００１３】
また、本発明の多機能電子機器では、前記演算手段では前記数値を少なくとも演算入力数値の一部として認識することを特徴とする。従って、本発明の多機能電子機器では、例えば、携帯電話機において、通常の待受モードにおいて、使用者が数字キーを押下して入力した数値を、電卓モードへ移行時に少なくとも演算入力数値の一部として扱うことができる。そのことで、本発明の多機能電子機器では、電卓モードに移行後に改めて、最初から演算数値を入力する必要がなく、使用者の操作の手間を省くことができる。
【００１４】
また、本発明の多機能電子機器では、前記移行制御手段は前記表示手段に演算画面を表示させる手段を有し、前記演算画面には少なくとも演算記号、数字番号または前記数値が表示されることを特徴とする。従って、本発明の多機能電子機器では、例えば、携帯電話機において、表示部に演算記号、数字番号等を表示することで、使用者はその表示画面を見ながら操作することができるので、視覚的に分かり易い操作を実現できる。
【００１５】
また、本発明の多機能電子機器では、前記演算画面に表示される前記演算記号及び数字番号の配置箇所は前記入力手段を構成する入力キーの配置箇所と一致していることを特徴とする。従って、本発明の多機能電子機器では、例えば、携帯電話機において、表示部に表示される演算記号、数字番号等の表示箇所と実際に設けられた入力キーの配置箇所とが一致しており、使用者は表示画面を見ながら操作することができるので、使用者の操作性を向上させることができる。
【００１６】
【発明の実施の形態】
以下に、本発明における一実施の形態について、図１〜図５を参照にして詳細に説明する。
【００１７】
図１は本発明の一実施の形態である携帯電話機の電気的構成を説明する概略機能ブロック図であり、図２は同携帯電話機における概観図であり、図３は同携帯電話機における電卓モードへ移行時の動作制御を説明するフローチャートであり、図４は同携帯電話機における待受モード画面を示す説明図であり、図５は同携帯電話機における電卓モード画面表示の移り変わりを示す説明図である。
【００１８】
図１に示す如く、本実施の形態の携帯電話機１は、主に、制御部２、キー操作部３、メモリ４、演算回路部５、表示ドライバ部６、表示部７、アンテナ８、無線部９及び通信制御部１０を備えている。尚、本実施の形態では、撮像部、画像処理部を図示していないが、これらの電気的構成を加えることでカメラ機能も付け加えることができる。
【００１９】
制御部２は、携帯電話機１を構成する各部位の動作を制御し、例えば、メモリ４、演算回路部５、表示ドライバ部６、表示部７等を制御する。そして、メモリ４は、通常の待受モード時に入力する電話番号、電卓モードに移行するために入力した数値等を記憶する。
【００２０】
更に、制御部２は、表示ドライバ部６に制御信号を送信するとともに、メモリ４に記憶された数値データ及び電卓モード起動時の電卓モード画面データ等を、表示ドライバ部６に送る。表示ドライバ部６は、表示部７に表示しようとする数値データ等に従って、表示部７の各画素電極に対して駆動電圧を印加する。表示部７は、液晶ディスプレイおよびＥＬ（Ｅｌｅｃｔｒｏ　Ｌｕｍｉｎｅｓｃｅｎｓｅ）ディスプレイなどで実現され、表示ドライバ部６を介して送られてくる数値データ等に基づくデータを表示する。
【００２１】
キー操作部３は、図２に示す如く、数字および文字を入力するためのキー、カメラモードを起動させるカメラキー、カメラモード起動時に撮影を行うためのシャッターキー、メール作成画面を表示させるためのメールキー、携帯電話機１の電源のオン／オフを行う電源キー、ダイヤルモード時に発信を行う発信キー等のファンクションキーから構成される。
【００２２】
アンテナ８は、無線電波を介して基地局と無線通信を行う。無線部９は、受信時は、基地局からアンテナ８を介して受信した電波を復調し、送信時は、通信制御部１０から送られてくる文字データおよび画像データなどを変調して増幅し、アンテナ８を介して基地局に送信する。通信制御部１０は、無線部９が復調した文字データおよび画像データなどの受信データを所定の通信プロトコルに基づいて制御部２に送る。尚、無線部９、通信制御部１０を介して受信した相手先からの受信データは、図示していないが、その他のメモリに記憶される。
【００２３】
次に、図３から図５を参照として、上述した携帯電話機に関し、電卓モード移行時の動作制御について説明する。
【００２４】
図３に示す如く、使用者がキー操作部３に設けられた電源キーを押下し、携帯電話機１をオン状態とすることを指示すると、制御部２は携帯電話機１の電源がオンにされたことを認識し、表示ドライバ部６、表示部７を制御し、表示部７に待受画面を表示させる（ステップＳ１）。そして、携帯電話機１がオン状態で、且つ、その表示部７に待受画面が表示された状態は、通常、携帯電話機１が待受モードであることを示す。この待受モードにおいて、使用者が、キー操作部３の数字キーを押下し、数値を入力すると（ステップＳ２）、制御部２は数値の入力を認識し、表示ドライバ部６及び表示部７を制御し、現状の通話モードと電卓モードとモード選択を可能とする電卓キーというアイコンを表示部７に表示させる（ステップＳ３）。このとき、制御部２はメモリ４をも制御し、使用者によって入力された数値をメモリ４内に保存させると同時に、表示部７に上記電卓キーというアイコンと同一画面に入力された数値をも表示させる。
【００２５】
本実施の形態では、具体的には、図４に示すように、携帯電話機１の表示部７には、使用者がキー操作部３の数字キーを押下し、例えば、「９８７６」という数値１２を入力したとすると、その入力した数値１２「９８７６」とその数値１２の下部には、電卓キー１１というアイコンが表示される。そして、本実施の形態では、表示部７に表示される電卓キー１１というアイコンは、このアイコン表示に対応するキー操作部３を押下すると、制御部２が演算回路部５、表示ドライバ部６、表示部７を制御し、電卓モード画面を表示部７に表示させ、携帯電話機１は通話モードから電卓モードへと移行する。つまり、本実施の形態では、この電卓キー１１というアイコンはショートカットキーであり、従来の携帯電話機３１のように、メニュー画面から電卓モードを選択することなく、待受モードから直接電卓モードへと移行することができる。
【００２６】
尚、詳細は後述するが、本実施の形態におけるフローチャートでは、表示部７には数値１２の「９」を入力後に電卓キー１１のアイコンが表示される。そして、数値１２の残りの「８７６」はステップＳ１０において入力されても良いし、また、電卓モードに移行後に入力されても良い。つまり、本実施の形態では、待受モード時に入力した数値を電卓モード移行時にそのまま用いることも可能であり、また、待受モード時に入力した数値に対し電卓モード移行後に数値を加えることも可能であり、更に、電卓モード移行後に、新たに、所望の数値を再入力することも可能である。そして、以下の説明では、携帯電話機が待受モード時に、ステップＳ１０において数値１２を入力した場合について説明する。
【００２７】
次に、フローチャートのステップＳ３及びステップＳ４の状態を示す図４では、本実施の形態である携帯電話機１は待受モードである。そして、使用者が、例えば、連続して送信先の電話番号をキー操作部３により入力することで、相手先の電話番号を入力できる。その後、使用者が、キー操作部３のダイヤル発信キーを押下すると（ステップＳ５のＹＥＳ）、制御部２は通信制御部１０を制御し、携帯電話機１をダイヤルモードとし、ダイヤル発信を行う（ステップＳ６）。その後、携帯電話機１は通話モードとなり、使用者は所望の相手と会話をすることができる。
【００２８】
次に、使用者は、ステップＳ２及びステップＳ１０で数値１２を入力した後、キー操作部３のダイヤル発信キーを押下せず（ステップＳ５のＮＯ）、且つ、使用者が表示部７に表示された電卓キー１１というアイコンに対応するキー操作部３を押下すると（ステップＳ７のＹＥＳ）、制御部２はメモリ４、演算回路部５を制御し、ステップＳ２で記憶した数値１２をメモリ４から呼び出し、演算回路部５内のメモリへと格納し（ステップＳ８）、携帯電話機１を電卓モードとする。このとき、同時に、制御部２は表示部７をも制御し、表示部７に電卓モード画面を表示させ、使用者は電卓モードを使用することができる（ステップＳ９）。
【００２９】
本実施の形態では、電卓モードにおいて、上述したように、ステップＳ８において、ステップＳ２及びステップＳ１０において入力した数値１２を演算回路部５内のメモリへと格納させることで、その数値１２を演算入力数値として扱うことができる。具体的には、図５に示すように、９８７６÷３の計算例を用いて説明する。先ず、図５（Ａ）はステップＳ９の電卓モードでの画面を表示している。図示の如く、表示部７には、図２に示したキー操作部３のキー配置と一致するように、演算記号、数字番号等が描かれた電卓モード画面１３が表示される。そして、電卓モード画面１３上の表示部７には、ステップＳ２及びステップＳ１０において入力した数値１２「９８７６」が、電卓モードの演算入力数値として表示される。
【００３０】
次に、図５（Ｂ）は演算記号、第２数値が入力された画面を表示している。図示の如く、例えば、使用者は表示部７に表示された演算入力数値である数値１２「９８７６」を確認し、表示部７に表示された電卓モード画面１３の演算記号「÷」に対応するキー操作部３を押下すると、表示部７では数値１２「９８７６」が消去され、演算記号１４「÷」が表示される。その後、使用者が電卓モード画面１３の数字番号「３」に対応するキー操作部３を押下すると、第２数値１５「３」が表示される。
【００３１】
最後に、図５（Ｃ）は演算の解答数値が表示された画面である。図示の如く、例えば、使用者は表示部７に表示された演算記号１４「÷」及び第２数値１５「３」を確認し、表示部７に表示された電卓モード画面１３の演算記号「＝」に対応するキー操作部３を押下すると、表示部７では演算記号１４「÷」及び第２数値１５「３」が消去され、その解答数値１６「３２９２」が表示され、使用者が行った演算が終了する。
【００３２】
次に、使用者は、使用者が表示部７に表示された電卓キー１１というアイコンに対応するキー操作部３を押下せず（ステップＳ７のＮＯ）、且つ、再び、キー操作部３の数字キーを押下し、数値を入力すると（ステップＳ１０のＹＥＳ）、ステップＳ４に戻り、上述した動作の繰り返しとなる。つまり、上述したように、待受モードにおいて、数値１２の「８７６」をステップＳ１０により入力することができる。一方、使用者が、再び、数値を入力しない場合で（ステップＳ１０のＮＯ）、且つ、キー操作部３の電源キーを押下しない場合には（ステップＳ１１のＮＯ）、ステップＳ５へと戻り、上述した動作となるのでその説明を参照とし、ここではその説明を割愛する。
【００３３】
一方、使用者が、再び、数値を入力しない場合で（ステップＳ１０のＮＯ）、且つ、キー操作部３の電源キーを押下すると（ステップＳ１１のＹＥＳ）、制御部２は表示部７を制御し、表示部７に表示された数値１２等は消去され、再び、待受画面が表示される（ステップＳ１２）。
【００３４】
従って、上述したように、本発明の多機能電子機器、例えば、携帯電話機では、通常の待受モードにおいて、使用者がキー操作部３の数字キーを押下し、数値を入力すると、表示部７には入力された数値と電卓モードへと移行する電卓キー１１のアイコンが表示される。そして、使用者が電卓キー１１のアイコンに対応するキー操作部３を押下すると、携帯電話機１は電卓モードとなり、表示部７には電卓モード画面１３が表示される。このとき、最初に使用者が入力した数値は少なくとも電卓モードの演算入力数値の一部として認識され、表示部７に表示される。つまり、本発明では、待受モードから電卓モードへと移行するショートカットキーである電卓キー１１のアイコンを待受モード時に表示させ、使用者が電卓キー１１のアイコンに対応するキー操作部３を押下することで、使用者にとって容易に電卓モードを利用することができる。また、待受モード時に入力した数値を少なくとも電卓モード時の演算入力数値の一部として扱うことができるので、使用者の操作の手間を省くことができる。
【００３５】
更に、本発明の多機能電子機器、例えば、携帯電話機では、電卓モードにおいて、表示部７には演算記号、数字番号等が描かれた電卓モード画面が、入力数値等と共に表示される。そして、電卓モード画面の演算記号、数字番号等の配置箇所は、キー操作部３を構成するキーの配置箇所と一致している。そのことで、使用者は、表示部７に表示された電卓モード画面を見ながら、数値等の入力を行うことができるので、視覚的に分かり易い操作を実現することができる。また、携帯電話機の数字番号の配置と電卓の数字番号の配置とは、通常、異なるが、本発明では、表示部７に表示された電卓モード画面を見ながら、数値等の入力を行うことができるので、入力ミス等を減らすことができる。
【００３６】
尚、本実施の形態では、折り畳み式携帯電話機が示されているが、この形態に限定されるものではなく、例えば、ストレート式の携帯電話機の場合でも良い。また、本実施の形態は、携帯電話機に限定されず、例えば、携帯型情報端末機を用いても実現することができる。その他、本発明の要旨を逸脱しない範囲で、種々の変更が可能である。
【００３７】
【発明の効果】
上述したように、第１に、本発明の多機能電子機器では、少なくとも電卓モードとを有し、電卓モード以外のその他のモード時に入力手段により数値を入力すると、表示部には入力された数値と電卓モードへと移行するショートカットキーが表示される。そして、使用者が上記ショートカットキーに対応する入力キーを押下することで、使用者は、容易に電卓モードを使用することができる。一方、使用者が上記ショートカットキーに対応する入力キーを押下しない場合には、使用者はそのまま、現状のその他のモードとして、本発明の多機能電子機器を利用することができる。
【００３８】
第２に、本発明の多機能電子機器では、少なくとも電卓モードとを有し、電卓モード以外のその他のモード時に入力手段により数値を入力すると、表示部には入力された数値と電卓モードへと移行するショートカットキーが表示される。そして、使用者が上記ショートカットキーに対応する入力キーを押下することで、使用者は、容易に電卓モードを使用することができる。このとき、本発明の多機能電子機器では、その他のモード時に入力した数値を少なくとも電卓モード時の演算入力数値の一部として扱うことができる。そのことで、本発明の多機能電子機器は使用者の操作も手間を省くことができる。
【００３９】
第３に、本発明の多機能電子機器では、少なくとも電卓モードを有し、電卓モード時には、表示部には演算記号、数字番号等が表示された電卓モード画面と入力数値とが表示される。そして、電卓モード画面の演算記号、数字番号等の配置箇所と入力手段を構成する入力キーの配置箇所とは一致している。そのことで、使用者は電卓モード画面を見ながら入力することができるので、視覚的に分かり易く操作でき、また、入力ミスを少なく操作できる。
【図面の簡単な説明】
【図１】本発明の一実施の形態である携帯電話機の電気的構成を説明するためのブロック図である。
【図２】同携帯電話機を説明する概観図である。
【図３】同携帯電話機における電卓モード移行時の動作制御を説明するフローチャートである。
【図４】同携帯電話機における待受モード画面を示す説明図である。
【図５】同携帯電話機における電卓モード画面表示の移り変わりを示す説明図である。
【図６】従来の一実施の形態である携帯電話機の電気的構成を説明するためのブロック図である。
【図７】同携帯電話機における電卓モード移行時の動作制御を説明するフローチャートである。
【符号の説明】
１　　携帯電話機
２　　制御部
３　　キー操作部
４　　メモリ
５　　演算回路部
６　　表示ドライバ部
７　　表示部
８　　アンテナ
９　　無線部
１０　　通信制御部
１１　　電卓キー
１２　　数値
１３　　電卓モード画面
１４　　演算記号
１５　　第２数値
１６　　解答数値
【図１】
2004146920.tif 000003
【図２】
2004146920.tif 000004
【図３】
2004146920.tif 000005
【図４】
2004146920.tif 000006
【図５】
2004146920.tif 000007
【図６】
2004146920.tif 000008
【図７】
2004146920.tif 000009